(57)【要約】【課題】デジタルサイネージに適用される表示装置の消費電力を低減することができる画像表示システム及び画像表示システムの制御方法を提供すること。【解決手段】本発明の一態様は、表示部（１０１）と、表示部の表示画面と人物との距離を計測する距離検出部（１０２）と、表示画面に表示させるための表示画像を生成する画像生成制御部であって、距離検出部により計測された距離に基づいて、表示画像の解像度を変更する画像生成制御部（１０３）と、解像度に応じた表示画像を表示画面に表示させる表示制御部（１０４）と、を備える、画像表示システム（１００）である。【選択図】図１
2019124870.tif 000002
【特許請求の範囲】
【請求項１】
表示部と、
前記表示部の表示画面と人物との距離を計測する距離検出部と、
前記表示画面に表示させるための表示画像を生成する画像生成制御部であって、前記距離検出部により計測された距離に基づいて、前記表示画像の解像度を変更する画像生成制御部と、
前記解像度に応じた前記表示画像を前記表示画面に表示させる表示制御部と、を備える、
画像表示システム。
【請求項２】
画像生成制御部は、前記距離が所定以上であると判定した場合、低解像度の前記表示画像を前記表示画面に表示させる、
請求項１に記載の画像表示システム。
【請求項３】
前記表示制御部は、前記距離が所定未満であると判定した場合、高解像度の前記表示画像を前記表示画面に表示させる、
請求項１に記載の画像表示システム。
【請求項４】
コンピュータが、
表示部の表示画面と人物との距離を計測し、
前記表示画面に表示させるための表示画像を生成し、
前記距離に基づいて、前記表示画像の解像度を変更し、
前記解像度に応じた前記表示画像を前記表示画面に表示する、
画像表示システムの制御方法。
【発明の詳細な説明】
【技術分野】
【０００１】
本発明は、例えば平面ディスプレイやプロジェクタに映像や情報を表示するデジタルサイネージ（電子看板）における表示状況を監視する画像表示システム及び画像表示システムの制御方法に関する。
【背景技術】
【０００２】
液晶ディスプレイやプロジェクタなどのディスプレイを用いて広告を表示する広告媒体であるデジタルサイネージ（Digital Signage：電子看板）が、紙の広告の代わりに様々な場所に設置されている。これに関連して、表示装置の近傍に存在する人物の動作に応じて表示画面に表示させる情報の内容を制御する技術が知られている（例えば、特許文献１参照）。特許文献１に記載された表示装置の制御方法は、カメラで撮像された画像に基づいて、人物の位置や動作を検出し、検出結果の内容に応じた関数を実行し、実行された関数に基づいて、表示装置に表示される表示内容を切り換えている。
【先行技術文献】
【特許文献】
【０００３】
【特許文献１】特開２００５−１５７１３４号公報
【発明の概要】
【発明が解決しようとする課題】
【０００４】
デジタルサイネージで広告を表示するとき、広告は常に表示される。近年の表示装置は高解像度化が進み、高解像に対応したコンテンツを常時表示させると、装置のＣＰＵやＧＰＵ、メモリへの負荷が増加し、消費電力が増大する。しかしながら、特許文献１に係る技術は、装置の消費電力を低減することについては考慮されていなかった。
【０００５】
本発明は、このような事情を考慮してなされたものであり、デジタルサイネージに適用される表示装置の消費電力を低減することができる画像表示システム及び画像表示システムの制御方法を提供することを目的とする。
【課題を解決するための手段】
【０００６】
本発明の一態様は、表示部と、前記表示部の表示画面と人物との距離を計測する距離検出部と、前記表示画面に表示させるための表示画像を生成する画像生成制御部であって、前記距離検出部により計測された距離に基づいて、前記表示画像の解像度を変更する画像生成制御部と、前記解像度に応じた前記表示画像を前記表示画面に表示させる表示制御部と、を備える、画像表示システムである。
【０００７】
本発明の一態様は、コンピュータが、表示部の表示画面と人物との距離を計測し、前記表示画面に表示させるための表示画像を生成し、前記距離に基づいて、前記表示画像の解像度を変更し、前記解像度に応じた前記表示画像を前記表示画面に表示する、画像表示システムの制御方法である。
【発明の効果】
【０００８】
本発明に係る画像表示システム及び画像表示システムの制御方法によると、デジタルサイネージに適用される表示装置の消費電力を低減することができる。
【図面の簡単な説明】
【０００９】
【図１】第１実施形態の画像表示システムの構成の一例を示すブロック図である。
【図２】第２実施形態のネットワークに接続された画像表示システムを示す図である。
【図３】画像表示システムの構成の一例を示すブロック図である。
【図４】視聴者Ｈの位置と画像表示システムとの位置関係を示す図である。
【図５】画像表示システムにおいて実行される処理の流れの一例を示すフローチャートである。
【発明を実施するための形態】
【００１０】
以下、図面を参照しつつ、本発明の実施形態の画像表示システム及び画像表示システムの制御方法について説明する。
【００１１】
［第１実施形態］
図１は、第１実施形態の画像表示システム１００の構成の一例を示すブロック図である。画像表示システム１００は、表示部１０１と、距離検出部１０２と、画像生成制御部１０３と、表示制御部１０４とを備える。
【００１２】
表示部１０１は、画像表示画面に表示画像を表示する。距離検出部１０２は、表示部１０１の表示画面と人物との距離を計測する。画像生成制御部１０３は、表示画面に表示させるための表示画像を生成し、距離検出部１０２により計測された距離に基づいて、表示画像の解像度を変更する。表示制御部１０４は、解像度に応じた表示画像を表示画面に表示させる。
【００１３】
［第２実施形態］
図２は、第２実施形態のネットワークＮＷに接続された画像表示システム１を示す図である。画像表示システム１は、顧客や広告業者が依頼した広告を屋外等に設置された表示部に表示するシステムである。画像表示システム１は、ネットワークＮＷを介してサーバ５０と通信し、サーバ５０から送信された広告用の表示画像を表示する。画像表示システム１は、例えば、広告効果が見込まれる拠点に設置されている。サーバ５０は、ネットワークＮＷを介して顧客や広告業者が作成した第１画像を送信する。サーバ５０は、画像表示システム１の拠点から遠隔地に設置されていてもよい。
【００１４】
図３は、画像表示システム１の構成の一例を示すブロック図である。画像表示システム１は、映像表示装置１０と、映像出力装置２０とを備える。映像表示装置１０は、広告用の表示画像を表示する。映像出力装置２０は、サーバ５０から送信された広告用の画像の情報を受信し、表示画像を生成し、生成した表示画像を映像表示装置１０に出力する。映像表示装置１０と、映像出力装置２０とは、１つの装置として構成されていてもよい。映像出力装置２０は、既存の映像表示装置１０に追加されるものであってもよい。
【００１５】
映像表示装置１０は、例えば、画像受信部１１と、拡大縮小部１２と、表示制御部１３と、表示部１４と、を備える。
【００１６】
画像受信部１１は、映像出力装置２０から出力された表示画像を受信する。拡大縮小部１２は、画像受信部１１に入力された表示画像を表示部１４の表示画面のサイズに合わせて拡大または縮小する。表示部１４は、例えば、屋外または屋内に設置される広告用のディスプレイ装置（デジタルサイネージ）である。表示部１４には、広告用に作成された表示画像が表示される。表示画像は、例えば、静止画であるが、所定のタイミングで切り替わる。表示画像は、動画であってもよい。
【００１７】
表示制御部１３は、表示部１４に表示画像を表示させるよう制御する。表示部１４は、表示制御部１３の指示に基づいて、表示画面に表示画像を表示する。表示部１４は、例えば、ＬＣＤ（Liquid Crystal Display）、有機ＥＬ（ElectroLuminescence）ディスプレイ、ＬＥＤ（Light Emitting Diode）ディスプレイ等が用いられる。表示部１４は、例えば、４Ｋ（横４０００×縦２０００前後）解像度の高精細ディスプレイである。
【００１８】
拡大縮小部１２と、表示制御部１３とは、それぞれ、ＣＰＵ（Central Processing Unit）、ＧＰＵ（Graphics Processing Unit）等のプロセッサがプログラム（ソフトウェア）を実行することで実現される。これらの各機能部のうち一部または全部は、ＬＳＩ（Large Scale Integration）やＡＳＩＣ（Application Specific Integrated Circuit）、ＦＰＧＡ（Field-Programmable Gate Array）等のハードウェアによって実現されてもよいし、ソフトウェアとハードウェアの協働によって実現されてもよい。プログラムは、予めＨＤＤ（Hard Disk Drive）やフラッシュメモリなどの記憶装置に格納されていてもよいし、ＤＶＤやＣＤ−ＲＯＭなどの着脱可能な記憶媒体に格納されており、記憶媒体がドライブ装置に装着されることで記憶装置にインストールされてもよい。
【００１９】
映像出力装置２０は、距離検出部２１と、出力制御部２３と、画像生成部２４と、画像記憶部２５と、画像出力部２６と、記憶部２７と、受信部２８とを備える。
【００２０】
距離検出部２１は、広告の視聴者（人物）と表示部１４の表示画面との距離を計測する。距離検出部２１は、例えば、人感センサであり、超音波センサ、赤外線センサ、カメラ等が用いられてもよい。距離検出部２１の詳細な動作については、後述する。
【００２１】
出力制御部２３は、受信部２８を介してネットワークＮＷに接続し、サーバ５０との通信を行う。出力制御部２３は、受信部２８を介して、サーバ５０から表示画像のコンテンツデータ２７Ａを受信し、記憶部２７に記憶させる。コンテンツデータ２７Ａは、例えば、４Ｋディスプレイに表示させるための高精細の画像データである。出力制御部２３は、距離検出部２１により計測された距離に基づいて、画像生成部２４に表示画像の解像度を変更させる。
【００２２】
画像生成部２４は、記憶部２７に記憶されたコンテンツデータ２７Ａに基づいて、表示画像の情報をデコードし、表示画面に表示させるための表示画像を生成する。画像生成部２４は、出力制御部２３の指示に基づいて、表示画像の解像度を変更する。
【００２３】
出力制御部２３と、画像生成部２４とは、それぞれ、ＣＰＵ等のプロセッサがプログラム（ソフトウェア）を実行することで実現される。これらの各機能部のうち一部または全部は、ＬＳＩやＡＳＩＣ、ＦＰＧＡ等のハードウェアによって実現されてもよいし、ソフトウェアとハードウェアの協働によって実現されてもよい。
【００２４】
なお、画像生成部２４と出力制御部２３とを合わせたものが画像生成制御部２２の一例である。これらは、別々に構成されていてもよいし、１つの制御部として構成されていてもよい。画像生成部２４と出力制御部２３との詳細な動作については、後述する。
【００２５】
画像記憶部２５には、画像生成部２４によりデコードされた表示画像や解像度変換済みの表示画像が一時保存される。画像記憶部２５は、ＲＡＭ（Random Access Memory）等の記憶装置（例えば、ＶＲＡＭ：Video RAM）である。
【００２６】
記憶部２７は、ＨＤＤやフラッシュメモリ、ＲＡＭ、ＲＯＭ（Read Only Memory）等の記憶装置である。画像出力部２６は、画像生成部２４により生成された表示画像を画像記憶部２５から読み出し、映像表示装置１０に転送する。
【００２７】
次に、画像表示システム１の動作について説明する。図４は、視聴者Ｈの位置と画像表示システム１との位置関係を示す図である。画像表示システム１の前面で広告を視聴する視聴者Ｈと表示部１４との間の距離Ｘは、ばらつきがある。
【００２８】
デジタルサイネージで広告を表示するとき、広告は常に表示させる必要があるため、高解像度の表示画像を常時表示させると、ＣＰＵやＧＰＵ、メモリへの負荷が増加し、消費電力が増大する。高解像度の表示画像は、低解像度の表示画像と比較してデータ量が多いためＶＲＡＭ上での展開や読み込みの際、多くのアクセスが必要だからである。視聴者Ｈと表示部１４との間の距離Ｘが近い場合、画像表示システム１は、高解像度の表示画像を表示する。
【００２９】
これに対して、人の目は見る対象までの距離が離れれば離れるほど、細かな部分が見えづらくなるため、視聴者Ｈが表示画面から遠方にいる場合、高解像度の表示画像を表示させる必要はない。従って、視聴者が表示部１４の表示画面から遠くに位置している場合、表示画像の解像度を落としても細部は見えないため、広告の視聴に影響はないと考えられる。
【００３０】
そこで、画像表示システム１は、視聴者Ｈと表示部１４との間の距離Ｘが遠い場合、低解像度の表示画像を表示する。解像度を低下させた表示画像を表示させる場合、高精細な表示画像を表示する場合に比べて画像表示に係る処理が少なくなるため、画像表示システム１は、消費電力を低減することができる。
【００３１】
視聴者Ｈが表示部１４の前に位置している場合、距離検出部２１は、視聴者Ｈを検出し、表示部１４の表示画面と視聴者Ｈとの間の距離Ｘを計測する。その後、距離検出部２１は、表示部１４の前に視聴者Ｈが所定時間以上、留まっているか否かを判定する。肯定的な判定結果を得た場合、計測結果を出力制御部２３に出力する。
【００３２】
出力制御部２３は、例えば、距離検出部２１により計測された計測結果と、予め定められた閾値とを比較し、表示部１４の表示画面と視聴者Ｈとの間の距離が閾値以下か否かを判定する。肯定的な判定を得た場合、出力制御部２３は、画像生成部２４に高解像度の表示画像を表示するよう指示する。閾値は、例えば、予め定められた固定値であってもよいし、視聴者Ｈの個人差や、行動に合わせて変動的に決定されていてもよい。
【００３３】
画像生成部２４は、出力制御部２３の指示に基づいて、記憶部２７に記憶されたコンテンツデータ２７Ａを読み込み、表示画像の情報をデコードし、表示画面に表示させるための高解像度（例えば、４Ｋ）の表示画像を生成する。
【００３４】
否定的な判定を得た場合、出力制御部２３は、画像生成部２４に低解像度の表示画像を生成するよう指示する。画像生成部２４は、出力制御部２３の指示に基づいて、記憶部２７に記憶されたコンテンツデータ２７Ａに基づいて、表示画像の情報をデコードし、表示画面に表示させるための低解像度（例えば、２Ｋ（横２０００×縦１０００前後の解像度））の表示画像を生成する。
【００３５】
画像生成部２４は、生成した表示画像を画像記憶部２５に一時保存する。出力制御部２３は、画像出力部２６に画像生成部２４により生成された表示画像を画像記憶部２５から読み出させ、映像表示装置１０に転送させる。映像表示装置１０において、画像受信部１１は、画像出力部２６により出力された表示画像を受信する。
【００３６】
表示制御部１３は、拡大縮小部１２に画像受信部１１に入力された表示画像を表示部１４の表示画面の解像度に合わせて拡大または縮小させる。表示制御部１３は、表示部１４の表示画面に表示画像を表示させる。このとき、表示画像は、視聴者Ｈの距離に応じた解像度で表示部１４の表示画面に表示される。
【００３７】
その後、距離検出部２１により視聴者Ｈが検出されなくなった場合や、所定距離以上離れた場合、画像表示システム１は、視聴者Ｈの存在や距離に関係なく、低解像度の表示画像を表示画面に表示させてもよい。
【００３８】
次に、画像表示システム１において実行される処理の流れについて説明する。図５は、画像表示システム１において実行される処理の流れの一例を示すフローチャートである。
【００３９】
距離検出部２１は、視聴者Ｈを検出した場合、表示部１４の表示画面と視聴者Ｈとの間の距離Ｘを計測する（ステップＳ１００）。
その後、距離検出部２１は、表示部１４の前に視聴者Ｈが所定時間以上留まっており、且つ、距離検出部２１により計測された表示部１４の表示画面と視聴者Ｈとの間の距離が予め定められた閾値以下か否かを判定する（ステップＳ１０２）。
【００４０】
肯定的な判定を得た場合、出力制御部２３は、画像生成部２４に高解像度の表示画像を生成させる（ステップＳ１０４）。否定的な判定を得た場合、出力制御部２３は、画像生成部２４に低解像度の表示画像を生成させる（ステップＳ１０６）。
【００４１】
出力制御部２３は、画像生成部２４に生成させた表示画像を画像記憶部２５に一時保存させる（ステップＳ１０８）。出力制御部２３は、画像出力部２６に表示画像を画像記憶部２５から読み出させ、映像表示装置１０に転送させる（ステップＳ１１０）。表示制御部１３は、表示部１４の表示画面に表示画像を表示させる（ステップＳ１１２）。
【００４２】
距離検出部２１は、視聴者Ｈが表示部の前に留まっているか否か判定する（ステップＳ１１４）。肯定的な判定を得た場合、距離検出部２１は、処理をステップＳ１００に戻す。否定的な判定を得た場合、画像表示システム１は、フローチャートの処理を終了する。
【００４３】
上述した様に画像表示システム１によると、デジタルサイネージに適用される表示装置の消費電力を低減することができる。画像表示システム１によると、視聴者Ｈの距離に基づいて表示画像の解像度を変更するため、表示画像の広告効果に影響を与えることなく消費電力を低減することができる。
【００４４】
以上、この発明の実施形態を詳述してきたが、具体的な構成はこの実施形態に限られるものではなく、この発明の要旨を逸脱しない範囲の設計等も含まれる。また、上記実施形態が有する１または複数のＣＰＵ等のコンピュータが実行するプログラムの一部または全部は、通信回線やコンピュータ読取可能な記録媒体を介して頒布することができる。
【符号の説明】
【００４５】
１、１００…画像表示システム
１０…映像表示装置
１１…画像受信部
１２…拡大縮小部
１３…表示制御部
１４…表示部
２０…映像出力装置
２１…距離検出部
２２…画像生成制御部
２３…出力制御部
２４…画像生成部
２５…画像記憶部
２６…画像出力部
２７…記憶部
２７Ａ…コンテンツデータ
２８…受信部
５０…サーバ
１０１…表示部
１０２…距離検出部
１０３…画像生成制御部
１０４…表示制御部
【図１】
2019124870.tif 000003
【図２】
2019124870.tif 000004
【図３】
2019124870.tif 000005
【図４】
2019124870.tif 000006
【図５】
2019124870.tif 000007